(57)【特許請求の範囲】
【請求項１】
基板を移動可能に搭載するステージと、
前記ステージの上方に配置された液滴吐出部と、
前記ステージの下方に配置された加熱部と、
前記ステージの上方において、前記液滴吐出部に対応する第１領域と前記加熱部に対応する第２領域を覆うカバーと、
前記カバーに接続された不活性ガスラインと、
を有し、
前記カバーは、前記カバーの天井部に前記液滴吐出部を装着するとともに、前記天井部に接続された前記第１および前記第２領域の周りを囲う壁部と、を含み、
前記カバーが、前記基板と前記壁部との間に空間を有するよう配置されており、
前記ステージは、前記基板を前記液滴吐出部から前記加熱部方向に移動させるように構成されていることを特徴とする成膜装置。
【請求項２】
前記液滴吐出部と前記加熱部は、重ならないよう配置されていることを特徴とする請求項１記載の成膜装置。
【請求項３】
前記ステージは、前記基板を第１方向又は前記第１方向と交差する第２方向に移動可能に構成されることを特徴とする請求項１又は２記載の成膜装置。
【請求項４】
前記基板の面積は、前記カバーで覆われた面積より大きいことを特徴とする請求項１乃至３のいずれか一項記載の成膜装置。
【請求項５】
前記ステージは、上下可動に構成されていることを特徴とする請求項１乃至４のいずれか一項記載の成膜装置。
【請求項６】
前記カバーは、上下可動に構成されていることを特徴とする請求項１乃至５のいずれか一項記載の成膜装置。
【請求項７】
前記液滴吐出部は、前記天井部に上下可動に装着されていることを特徴とする請求項１乃至６のいずれか一項記載の成膜装置。
【請求項８】
前記加熱部は、前記ステージ上の前記第２領域のうち、前記第１領域側から前記第１領域の逆側にかけて、基板温度がより高温となるよう基板温度を制御することを特徴とする請求項１乃至７のいずれか一項記載の成膜装置。
【請求項９】
ステージの上方に配置された液滴吐出部と、
前記ステージの下方に配置された加熱部と、
前記ステージの上方において、前記液滴吐出部に対応する第１領域と前記加熱部に対応する第２領域を覆うカバーと、
前記カバーに接続された不活性ガスラインと、
を有し、
前記カバーは、前記カバーの天井部に前記液滴吐出部を装着するとともに、前記天井部に接続された前記第１および前記第２領域の周りを囲う壁部と、を含む成膜装置を用いた成膜方法であって、
前記ステージ上に基板を搭載する工程と、
前記不活性ガスラインから前記カバー内に不活性ガスを導入し、前記カバーと前記基板との間の空間より前記不活性ガスを流出させながら、
前記液滴吐出部から前記基板上に液滴を吐出し、前記基板上に吐出された液滴を前記加熱部により加熱する工程であって、前記基板を前記ステージにより前記液滴吐出部および前記加熱部に対し相対的に移動させつつ前記吐出および加熱を行う工程と、を有することを特徴とする成膜方法。
【請求項１０】
前記基板の面積は、前記カバーで覆われた面積より大きいことを特徴とする請求項９記載の成膜方法。
【発明の詳細な説明】
【技術分野】
【０００１】
本発明は、成膜装置および成膜方法に関し、特に、液滴吐出方法を用いた成膜装置および成膜方法に関するものである。
【背景技術】
【０００２】
液滴吐出装置の一例であるインクジェット装置は、圧力室を圧電素子により加圧し、その内部の液体（溶液）を圧力室底部のノズル孔から吐出する装置である。このような、インクジェット装置は、インクジェットプリンタのみならず、表示装置などの構成膜を形成する際の材料液の吐出など、工業的にも広く利用されている。
【０００３】
このような工業的な利用においては、吐出する液体は多種におよぶ。よって、使用溶液の中には、例えば、空気中の酸素等と反応し、液質が劣化するものもある。
【０００４】
例えば、下記特許文献１においては、図５に、インクジェットヘッド（２２）部を含む大きな空間が装置外壁（カバー１４）で覆われた装置が示されている。
【特許文献１】特開２００３−８４１２４号公報
【発明の開示】
【発明が解決しようとする課題】
【０００５】
本発明者らは、インクジェット装置の吐出を不活性ガス雰囲気下で行うことにより、吐出溶液の変質や劣化を防止する技術を検討している。しかしながら、上記特許文献１に開示の装置では、装置全体を覆っているため不活性ガスによるガスパージ（内部空気の置換）に時間を要する。また、処理済みの基板を取り出す度に、装置内に外気が混入し、再パージにも時間を要する。さらに、使用する不活性ガスの量も多くなりコスト高となる。このような問題点は、基板の大型化に伴い、益々顕著になる。
【０００６】
加えて、吐出溶液を加熱により固化（焼成）する処理も多く、この加熱部を装置内に設ける場合、装置内の容量がさらに増加する。
【０００７】
本発明は、処理雰囲気の制御を容易にすることができる成膜装置および成膜方法を提供することを目的とする。また、当該装置および方法により、スループットを向上させ、また、製品の製造コストを低減することを目的とする。
【課題を解決するための手段】
【０００８】
（１）本発明に係る成膜装置は、基板を移動可能に搭載するステージと、前記ステージの上方に配置された液滴吐出部と、前記ステージの下方に配置された加熱部と、前記ステージの上方において、前記液滴吐出部に対応する第１領域と前記加熱部に対応する第２領域を覆うカバーと、前記カバーに接続された不活性ガスラインと、を有し、前記カバーは、前記カバーの天井部に前記液滴吐出部を装着するとともに、前記天井部に接続された前記第１および前記第２領域の周りを囲う壁部と、を含み、前記カバーが、前記基板と前記壁部との間に空間を有するよう配置されており、前記ステージは、前記基板を前記液滴吐出部から前記加熱部方向に移動させるように構成されている。
【０００９】
かかる構成によれば、カバーと基板との隙間から不活性ガスを流出させることで、外気の侵入を防止しつつ、基板上の処理部（カバー内部）を不活性ガスでパージできる。よって、パージに要する時間を低減でき、また、使用する不活性ガス量を少なくすることができる。また、不活性ガス雰囲気中で液滴を吐出し、また、加熱（固化）することができ、成膜性を向上できる。また、ガスラインからカバーの外部へ、不活性ガスの流れが生じ、液滴の乾燥を促進することができる。さらに、液滴から揮発した溶媒や分解ガスなどが、不活性ガスのフローによりカバー外部へ放出され、液滴への再付着を防止でき、成膜性を向上できる。またかかる構成によれば、吐出と加熱を連続して行うことができ、スループットを向上できる。
【００１０】
例えば、前記液滴吐出部と前記加熱部（第１領域と第２領域）は、重ならないよう配置されている。かかる構成によれば、液滴吐出部に対する熱の影響を低減でき、吐出部の目詰まりを防止できる。
【００１１】
例えば、前記ステージは、前記基板を第１方向又は前記第１方向と交差する第２方向に移動可能に構成される。かかる構成によれば、ガスラインが接続されたカバー（液滴吐出部）や加熱部を大きく移動させることなく、簡易な構成で、効率良く、液滴の吐出および加熱処理を行うことができる。
【００１３】
例えば、前記基板の面積は、前記カバーで覆われた面積より大きい。このように、基板に対し、相対的にカバーを小さくすれば、使用する不活性ガス量を少なくすることができる。
【００１４】
例えば、前記ステージは、上下可動に構成されている。かかる構成によれば、カバーと基板との隙間を調整することができる。
【００１５】
例えば、前記カバーは、上下可動に構成されている。かかる構成によれば、カバーと基板との隙間を調整することができる。
【００１６】
例えば、前記液滴吐出部は、前記天井部に上下可動に装着されている。かかる構成によれば、カバーと基板との隙間を所望の距離としつつ、基板と液滴吐出との距離を調整することができる。
【００１７】
例えば、前記加熱部は、前記ステージ上の前記第２領域のうち、前記第１領域側から前記第１領域の逆側にかけて、基板温度がより高温となるよう基板温度を制御する。かかる構成によれば、液滴吐出部に対する熱の影響を低減しつつ、高温処理が可能となる。
（２）本発明に係る成膜方法は、ステージの上方に配置された液滴吐出部と、前記ステージの下方に配置された加熱部と、前記ステージの上方において、前記液滴吐出部に対応する第１領域と前記加熱部に対応する第２領域を覆うカバーと、前記カバーに接続された不活性ガスラインと、を有し、前記カバーは、前記カバーの天井部に前記液滴吐出部を装着するとともに、前記天井部に接続された前記第１および前記第２領域の周りを囲う壁部と、を含む成膜装置を用いた成膜方法であって、前記ステージ上に基板を搭載する工程と、前記不活性ガスラインから前記カバー内に不活性ガスを導入し、前記カバーと前記基板との間の空間より前記不活性ガスを流出させながら、前記液滴吐出部から前記基板上に液滴を吐出し、前記基板上に吐出された液滴を前記加熱部により加熱する工程であって、前記基板を前記ステージにより前記液滴吐出部および前記加熱部に対し相対的に移動させつつ前記吐出および加熱を行う工程と、を有する。
【００１８】
かかる方法によれば、パージに要する時間を低減でき、また、使用する不活性ガス量を少なくすることができる。また、不活性ガス雰囲気中で液滴を吐出し、また、加熱（固化）することができ、成膜性を向上できる。また、ガスラインからカバーの外部へ、不活性ガスの流れが生じ、液滴の乾燥を促進することができる。さらに、液滴から揮発した溶媒や分解ガスなどが、不活性ガスのフローによりカバー外部へ放出され、液滴への再付着を防止することができる。またかかる方法によれば、ガスラインが接続されたカバー（液滴吐出部）や加熱部を大きく移動させることなく、効率良く、液滴の吐出および熱処理を行うことができる。
【００２０】
例えば、前記基板の面積は、前記カバーで覆われた面積より大きい。このように、基板に対し、相対的にカバーを小さくすることで、使用する不活性ガス量を少なくすることができる。
【発明を実施するための最良の形態】
【００２１】
以下、本発明の実施の形態を図面を参照しながら詳細に説明する。なお、同一の機能を有するものには同一もしくは関連の符号を付し、その繰り返しの説明を省略する。
（実施の形態１）
＜液滴吐出装置の構成＞
図１〜図４は、本実施の形態の液滴吐出装置（液体塗布装置、インクジェット装置、成膜装置）の構成を示す図である。図１は、斜視図、図２は、上面図、図３および図４は、断面図である。なお、図４（Ａ）は、図３のＡ−Ａ部に、図４（Ｂ）は、図３のＢ−Ｂ部に対応する。また、図１〜図４の黒色矢印は、不活性ガスの流れを示し、白抜き矢印は、基板１００の移動方向を示す。
【００２２】
図１〜図４に示すように、本実施の形態の液滴吐出装置１０１は、基板搬送用のステージ（搬送部）１０３、インクジェットヘッド（吐出部、塗布部）１１３が組み込まれたカバー（囲い、覆い、蓋、下側に開口を有する箱、ボックス）１０５およびヒータ（加熱部）１５０を有する。
【００２３】
このステージ１０３は、基板１００をＸ方向に移動可能に搭載する。例えば、ローラを有し、ローラが回転することで、基板１００をＸ方向（図２の左右方向）に搬送する。なお、基板１００をＹ方向（図２の上下方向）にも移動可能に構成してもよい。また、このステージ１０３は、基板１００の昇降手段を有する。即ち、基板１００をＺ方向（上下方向）に移動可能に構成されている。例えば、ステージ１０３自身が上下する構成としても良いし、また、ステージ１０３の内部から棒状の昇降手段が複数突出し、基板１００を上下する構成としても良い。
【００２４】
搭載される基板１００は、例えば、ガラス基板であり、その上部に機能液（液滴）が塗布され、当該液滴を、乾燥、固化（例えば、焼成）することにより基板１００上の所望の位置に膜が形成される。ｄは、吐出後の液滴（着弾液滴）を、ｄｃは、加熱処理後の膜を示す。
【００２５】
例えば、アレイ状に区画された複数の領域に、液滴を吐出し、カラーフィルタ（ＣＦ基板）を形成することができる。この他、液滴を重なるよう連続して吐出し、ライン状の膜（配線）を形成してもよい。このように、吐出方向（走査方向）、吐出回数や吐出量などを調整し、種々の形状の膜を形成することができる。
【００２６】
また、ヒータ１５０は、ステージ１０３の下部に配置され、基板１００を下側から加熱する。ヒータとしては、例えば、フラッシュランプや電熱加熱ヒータなどを用いることができる。
【００２７】
また、カバー１０５は、天井板１０５ａと天井板１０５ａを囲む壁１０５ｂとを有する（図１参照）。天井板（天井部）１０５ａの第１領域Ｒ１には、インクジェットヘッド１１３が組み込まれ、天井板１０５ａは、第１領域Ｒ１からヒータ１５０上の第２領域Ｒ２まで延在している（図３参照）。
【００２８】
言い換えれば、ステージ上の第１領域Ｒ１上にインクジェットヘッド１１３が配置され、ステージ上の第２領域Ｒ２下にヒータ１５０が配置され、この第１および第２領域に対向して天井板１０５ａが延在し、この第１および第２領域を囲むよう壁（壁部）１０５ｂが設けられている（図３参照）。
【００２９】
また、カバー１０５の天井板１０５ａには、不活性ガスライン１０７が接続され、不活性ガス供給手段１０９から不活性ガスライン１０７を介して不活性ガスがカバー１０５内（処理部）に導入される。不活性ガス供給手段１０９は、図示しないガスボンベと接続され、また、その内部には、ガス流量を調整する流量調整部（例えば、電磁弁など）１０９ａが内蔵されている。不活性ガスライン１０７の先端をガス導入孔（注入孔、供給孔）１０７ａとする。上記電磁弁などの他、流量計などを設けて、ガス流量を調整してもよい。さらに、各不活性ガスライン１０７から放出されるガスの温度を制御するコントローラを設けてもよい。
【００３０】
ここでは、インクジェットヘッド１１３の両側に、ガス導入孔１０７ａの列が設けられ、ヒータ１５０上に、６列（５個×６列）のガス導入孔１０７ａが配置されている（図２参照）。
【００３１】
ここで、ステージ（基板１００）１０３の面積は、カバー１０５で覆われた面積より大きい。また、カバー１０５と基板（ステージ１０３）１００との間には、隙間（空間）が設けられるよう、ステージ１０３又はカバー１０５の高さが調整される。このように、不活性ガスライン１０７からカバー１０５内へ導入された不活性ガスが隙間から放出される構成となっている。
【００３２】
インクジェットヘッド１１３の内部構成は種々のものがあるが、その構成例を図５に示す。図５は、インクジェットヘッド１１３の構成例を示す分解斜視図である。図示するように、インクジェットヘッドは、圧力室（キャビティ、凹部）ＣＡと、その上部に配置された圧力素子ＰＥと、を有する。
【００３３】
圧力室ＣＡは、底面、側壁および上面を有し、底面はノズルプレート１により構成され、側壁は、シリコン基板（流路基板）３により構成され、上面は、振動板５により構成される。このシリコン基板３には、開口部が設けられ、この開口部が圧力室ＣＡとなる。また、この開口部は、開口領域１１ａ、１１ｂ、１１ｃを有し、１１ｂおよび１１ｃが液体の流路となる。
【００３４】
また、圧力室ＣＡの底面にはノズル孔１ａが配置されている。このノズル孔１ａは、ノズルプレート１に、複数の圧力室ＣＡに対し１つずつ形成されている。
【００３５】
圧電素子ＰＥは、圧力室ＣＡの上部、即ち、振動板５の上部に配置され、下から下部電極７ａ、圧電体膜（圧電体層）７ｂおよび上部電極７ｃが順次積層された構成を有する。圧電体膜７ｂは、例えば、ＰＺＴ（チタン酸ジルコン酸鉛、Ｐｂ（Ｚｒ1-xＴｉx））よりなる。また、圧電素子ＰＥ（上部電極７ｃ）の上部には、外部引き出し電極８が配置されている。
【００３６】
また、圧電素子ＰＥの上部には、保護基板（封止樹脂）９が配置されている。この保護基板９には、凹部９ａおよび開口領域９ｂ、９ｃが設けられ、凹部９ａ内に圧電素子ＰＥが配置される。なお、保護基板９上にはコンプライアンス基板等が設けられる。
【００３７】
従って、液体は、流路（リザーバ）１１ｃから流路１１ｂを介して圧力室ＣＡに充填され、圧電素子ＰＥの駆動によって圧力室ＣＡが加圧され、ノズル孔のノズル孔１ａから吐出される。
【００３８】
なお、図５においては、図面を分かり易くするため、ノズル孔１ａをノズルプレート１の端部に設けているが、圧力室ＣＡやノズル孔１ａのレイアウトは適宜変更可能であり、図１等に示すように、ノズル孔１１３ａをインクジェットヘッド１１３の底面の略中央部に配置してもよい。
【００３９】
＜液滴吐出装置を用いた成膜方法＞
次いで、本実施の形態の液滴吐出装置１０１を用いた成膜方法を説明する。
【００４０】
まず、図１に示すように、ステージ１０３に基板１００を搭載し、インクジェットヘッド１１３と基板１００の吐出位置とを位置あわせする。この際、基板１００とカバー１０５との間に一定の隙間が生じるよう例えばステージ１０３の高さを調整する（図３および図４参照）。この調整は、カバー１０５を上下させることにより行ってもよい。
【００４１】
上記隙間の高さは、吐出後の液滴（着弾液滴）ｄの高さ以上であれば良い。また、この隙間の高さは、例えば、ガス流量に応じて適宜変更可能である。即ち、吐出溶液の性質に応じて、また、吐出後の液滴の乾燥速度に応じて、ガス流量を調整する。例えば、乾燥速度を大きくしたい場合には、隙間を大きくし、不活性ガスのＩＮ（流入量）とＯＵＴ（放出量）を調整する。また、カバー１０５内部のパージ精度を大きくしたい場合には、隙間を小さくした状態で不活性ガスのＩＮ（流入量）を大きくする。この場合、隙間からの不活性ガスの放出速度が大きくなり、外気（空気）の逆流が少なくなる。即ち、カバー１０５内の外気（空気、酸素）の濃度を低く抑えられる。この不活性ガスの流量は、前述の流量調整部１０９ａで制御する。
【００４２】
このように、不活性ガスライン１０７を介して例えば、窒素（Ｎ2）をカバー１０５内に流入させると共に上記隙間から放出させることで、カバー１０５内部に窒素を充填（パージ）する。窒素の他、Ａｒ（アルゴン）などの不活性ガスを用いてもよい。
【００４３】
次いで、カバー１０７内に、窒素をフローさせつつ、インクジェットヘッド１１３から基板１００上へ液滴を吐出する（図４（Ａ）参照）。この後も、カバー１０７内に、窒素をフローさせ、基板１００をＸ１方向（図４においては、紙面手前方向）に移動させつつ、吐出を繰り返す。
【００４４】
一方、基板１００の移動に伴い、吐出後の液滴は、ヒータ１５０上に搬送され、ヒータ１５０により焼成（固化、熱処理）される（図４（Ｂ）参照）。このヒータ１５０上においても、カバー１５０で覆われ、不活性雰囲気下での焼成が可能となる。
【００４５】
このように、本実施の形態によれば、カバー１０５により、インクジェットヘッド１１３およびヒータ１５０の各処理部（第１、第２領域）を囲い、その内部に不活性ガスを充填可能に構成したので、不活性ガスの使用量を低減しつつ、溶液の吐出および焼成を行うことができる。
【００４６】
即ち、装置全体を覆う場合と比較し、不活性ガスの使用量を低減することができる。また、不活性ガスをパージするための時間を短縮することができる。その結果、基板１００の処理のスループットを向上させることができる。また、製品の製造コストの低減を図ることができる。
【００４７】
また、基板１００の吐出部や加熱部（処理部）を不活性ガス雰囲気とすることができ、吐出溶液と空気中の酸素や水分などとの反応を低減することができる。また、不所望な反応生成物、揮発溶媒、分解ガスなどが随時カバー１０５の外部に排出され、常にクリーンな不活性ガスがフローされるため、成膜精度を向上することができる。特に、加熱（焼成）時においては、反応生成物、揮発溶媒、分解ガスなどが生じやすく、これらを排出しつつ、焼成することで、膜特性を向上させることができる。また、不所望な反応物や揮発溶媒が低減されるため、ノズル孔１１３ａの目詰まりを低減することができる。
【００４８】
また、ガスライン１０７からカバー１０５の外部へ不活性ガスの流れが生じ、吐出後の液滴ｄの乾燥を促進することができる。また、不活性ガスのフロー速度を調整でき、吐出後の液滴の乾燥速度を制御することができる。なお、乾燥は、ヒータ１５０の熱によっても進行する。
【００４９】
さらに、装置全体を覆う場合、処理可能な基板の大きさが制限されるのに対し、本実施の形態によれば、多種の基板への対応が可能となる。
【００５０】
また、インクジェットヘッド１１３とヒータ１５０とを重ならないよう配置することで、ヒータ１５０の熱によるノズル孔１１３ａの目詰まりを低減できる。また、インクジェットヘッド１１３からヒータ１５０方向（図１においては、Ｘ１方向）に基板１００を搬送させることにより、吐出と焼成を連続して行うことができる。その結果、スループットを向上できる。
【００５１】
また、インクジェットヘッド１１３とヒータ１５０との相対的な位置関係は、大きく変えず基板１００を移動させることで、装置構成を簡易とし、効率的な処理を行うことができる。
（実施の形態２）
本実施の形態においては、第２領域Ｒ２に温度勾配を設け、熱処理速度を調整する。
【００５２】
図６は、本実施の形態の液滴吐出装置の構成を示す断面図である。なお、ヒータ１５０以外の構成および成膜方法は実施の形態１と同様である。
【００５３】
ここでは、図６に示すように、ヒータ（第２領域Ｒ２）１５０の温度を、インクジェットヘッド（第１領域Ｒ１）１１３から離れる程、高温になるよう制御する。
【００５４】
即ち、吐出直後の溶液は、加熱されないが、基板１００のＸ１方向への搬送に伴って、次第に高熱に晒される。よって、吐出、乾燥（溶媒気化）および焼成（固化、結晶化）の処理が基板の移動と共に進み、効率的な処理が行える。また、前述したように、乾燥および焼成工程で生成したガスや不純物は、不活性ガスのフローによりカバー外部に排除されるため、一連の処理をクリーンな雰囲気下で行うことができる。
【００５５】
また、ガスライン１０７からの導入ガスの温度を調整することにより第２領域Ｒ２に温度勾配を設けてもよい。図６に示すガスライン１０７のうち、インクジェットヘッド１１３の両側（第１領域）のガスラインを１０７Ａと、ヒータ（第２領域）１５０上のガスラインを１０７Ｂ１〜１０７Ｂ６とした場合、インクジェットヘッド１１３側の１０７Ｂ１から１０７Ｂ６にかけて、ガス温度を順次高くすることで、基板１００に温度勾配を設けてもよい。また、ヒータ１５０の温度制御と、導入ガスの温度調整を併用してもよい。
【００５６】
また、インクジェットヘッド１１３の両側のガスライン１０７Ａについては、冷却ガス（例えば、１０７Ｂ１のガス温度より低い温度のガス）を放出することで、ヘッド近傍を相対的に冷却し、ノズル孔１１３ａの目詰まりを低減してもよい。
（実施の形態３）
上記実施の形態１および２は、上記装置構成（成膜方法）に限られず、種々の応用が可能である。各種構成例を実施の形態３として説明する。
＜構成例１＞
上記実施の形態（図１〜図４）においては、基板１００をＸ方向に移動させつつ吐出を行ったが、基板１００をＸ方向およびＹ方向に移動させつつ吐出を行ってもよい。このように、基板１００をＸ方向およびＹ方向に移動させる構成とすることで、より大きな基板１００の処理が可能となる。
＜構成例２＞
上記実施の形態（図１〜図４）においては、１のインクジェットヘッド１１３を用いたが、複数のインクジェットヘッド１１３を組み込み、それぞれにカバー１０５を設け、対向する位置にヒータ１５０を設けてもよい。このように、ヘッドとヒータとの組数を多くすることでスループットの更なる向上を図ることができる。
＜構成例３＞
上記実施の形態（図１〜図４）においては、ノズル孔１１３ａを１列のライン状に設けたインクジェットヘッド１１３を用いたが、ノズル孔１１３ａを複数列のライン（例えば、２列×６個）状に設けてもよい。このように、ノズル孔の数や配置は適宜変更可能である。
＜構成例４＞
また、上記実施の形態（図１〜図４）においては、カバー（インクジェットヘッド１１３）１０５に対し、基板１００を移動させが、インクジェットヘッド１１３およびヒータ１５０を移動させてもよい。例えば、柔軟性のある不活性ガスライン（ゴムチューブなど）を用い、インクジェットヘッド１１３を移動させることができる。
【００５７】
但し、ヘッド１１３の移動範囲を大きくすると、不活性ガスライン１０７の取り回しが複雑となる。また、複数のヘッド１１３を用いる場合には、不活性ガスライン１０７同士の混線が生じ得るため、図１のように、基板１００側を移動させる構成の方が簡易である。
【００５８】
また、上記実施の形態（図１〜図４）のように、カバー（インクジェットヘッド１１３）１０５に対し、基板１００を移動させつつ、さらに、インクジェットヘッド１１３又はヒータ１５０が有る程度、移動可能なように構成してもよい。例えば、インクジェットヘッド１１３を１ｃｍ程度、ヒータ１５０を数ｃｍ程度、移動可能なように構成してもよい。かかる構成によれば、吐出位置や加熱位置の微調整が行いやすい。また、連続して吐出を行う場合（例えば、ライン状のパターン（配線）の形成時など）には、小さく、軽いヘッド側を移動させる方が制御し易い。また、インクジェットヘッド１１３とヒータ１５０との距離を、吐出溶液の性質に応じて調整することも可能となる。例えば、粘性が高い溶液の吐出の際には、上記距離を大きく確保することで、ヒータの熱によるノズル孔の目詰まりを低減できる。なお、ヒータ１５０が移動可能な範囲については、カバー１０５で覆われていることが望ましい。
＜構成例５＞
また、図７に示すように、カバー１０５に対して、インクジェットヘッド１１３を上下可能に組み込んでもよい。図７は、本実施の形態の液滴吐出装置の構成を示す断面図である。かかる構成によれば、インクジェットヘッド１１３のノズル孔１１３ａの位置を上下させ、吐出液や吐出量に応じてノズル孔１１３ａの高さを調整することができる。また、カバー１０５と基板１００との隙間高さ（Ｈ１）と、ノズル孔１１３ａの高さ（吐出位置）Ｈ２を独立して制御できる。よって、吐出条件に応じたノズル孔１１３ａの高さＨ２としつつ、処理条件（パージ精度）や乾燥速度を考慮した隙間高さＨ１を確保することができる。
【００５９】
さらに、上記実施の形態においては、カバー１０５と不活性ガスライン１０７との接続箇所を、第１領域Ｒ１において２列×５箇所と、第２領域Ｒ２において、６列×５箇所としたが、これに限定されず、種々の変更が可能である。
【００６０】
また、上記実施の形態においては、圧電方式のインクジェットヘッドを例に説明したが、これに限られるものではなく、例えば、静電式のインクジェットヘッドなどを用いてもよい。
【００６１】
また、上記実施の形態においては、処理例として液晶装置のカラーフィルタの形成を例に説明したが、上記実施の形態の装置や成膜方法は、配向膜材料や液晶等の吐出にも適用可能である。また、液晶装置の他、例えば、有機ＥＬ（Electro Luminescence）装置、表面伝導型電子放出(Surface-conduction Electron-emitting)装置等の液体電極材料等の吐出にも適用可能である。また、バイオチップの製造に用いられる生体有機物の吐出等にも適用可能である。もちろん、インクジェットプリンタにも適用可能である。このように、幅広い分野に適用可能であるが、前述した産業用の液滴吐出装置に用いて好適である。特に、吐出液として、空気に触れることで変質しやすい有機溶媒や有機ＥＬ（electroluminescence）材料の吐出に用いて好適である。
【００６２】
また、上記実施の形態を通じて説明された実施例や応用例は、用途に応じて適宜に組み合わせて、又は変更若しくは改良を加えて用いることができ、本発明は上述した実施の形態の記載に限定されるものではない。
【図面の簡単な説明】
【００６３】
【図１】実施の形態１の液滴吐出装置の構成を示す斜視図である。
【図２】実施の形態１の液滴吐出装置の構成を示す上面図である。
【図３】実施の形態１の液滴吐出装置の構成を示す断面図である。
【図４】実施の形態１の液滴吐出装置の構成を示す断面図である。
【図５】インクジェットヘッドの構成例を示す分解斜視図である。
【図６】実施の形態２の液滴吐出装置の構成を示す断面図である。
【図７】実施の形態３の液滴吐出装置の構成を示す断面図である。
【符号の説明】
【００６４】
１…ノズルプレート、１ａ…ノズル孔、３…シリコン基板、５…振動板、７ａ…下部電極、７ｂ…圧電体膜、７ｃ…上部電極、９…保護基板、９ａ…凹部、９ｂ、９ｃ…開口領域、１１ａ、１１ｂ、１１ｃ…開口領域、１００…基板、１０１…液滴吐出装置、１０３…ステージ、１１３…インクジェットヘッド、１１３ａ…ノズル孔、１０５…カバー、１０５ａ…天井板、１０５ｂ…壁、１０７、１０７Ａ、１０７Ｂ１〜１０７Ｂ６…不活性ガスライン、１０７ａ…ガス導入孔、１０９…不活性ガス供給手段、１０９ａ…流量調整部、１５０…ヒータ、ＣＡ…圧力室、ｄ…吐出後の液滴、ｄｃ…加熱処理後の膜、ＰＥ…圧力素子、Ｒ１…第１領域、Ｒ２…第２領域
【図１】
0005115844.tif 000002
【図２】
0005115844.tif 000003
【図３】
0005115844.tif 000004
【図４】
0005115844.tif 000005
【図５】
0005115844.tif 000006
【図６】
0005115844.tif 000007
【図７】
0005115844.tif 000008